(57)【要約】【課題】  副装葬品を遺体と共に火葬しても焼却されたり原形をとどめなくなるようなことなく、遺品として残すことができるようにし、しかも必要なら、その副装葬品の存在を遺族に知らさずに、恰も火葬の際故人の魂が宿して遺品が出現したようにしたこと。【解決手段】  棺内に収められ、金属あるいは陶磁器，石膏のような火葬した際にもその形状が崩れたり、溶けたりすることがない材料で作られ、かつ、仏舎利や十字架、あるいは故人が生前愛したペットの造型や故人が好んだ興味や嗜好物の形状を形作った副葬品と、この副葬品が外部から見えないよう包懐させ、かつ上記と同様の仏舎利やその他の外観形状で、かつ火葬の際完全に焼却してしまうオガクズやコルクなどの材料で造られる燃焼部材とからなる。【選択図】図１
2006239089.tif 000002
【特許請求の範囲】
【請求項１】
棺内に収められ、金属あるいは陶磁器，石膏のような火葬した際にもその形状が崩れたり、溶けたりすることがない材料で作られ、かつ、仏舎利や十字架、あるいは故人が生前愛したペットの造型や故人が好んだ興味や嗜好物の形状を形作った副葬品と、この副葬品が外部から見えないよう包懐させ、かつ上記と同様の仏舎利やその他の外観形状で、かつ火葬の際完全に焼却してしまうオガクズやコルクなどの材料で造られる燃焼部材とからなる、棺に収められる副装葬品。
【発明の詳細な説明】
【技術分野】
【０００１】
本発明は遺体を火葬する際、棺に収められる副装葬品に関する。
【背景技術】
【０００２】
遺体を火葬するとき、故人を偲ぶ目的から生前故人が愛した見廻り品とか嗜好物を棺に収めるとは特許文献に示すように公知の事項である。
【０００３】
しかし従来のそれら副装葬品は、親族などに公開されたら結局は焼却されあるいは、火葬の際の高温によって原形をとどめることができず故人を偲ぶ遺品とはなり得なかった。
【特許文献１】特開平８−３０８８９２（要約書）
【発明の開示】
【発明が解決しようとする課題】
【０００４】
而して本発明の目的は上記欠点を除去するもので、上記副装葬品を遺体と共に火葬しても焼却されたり原形をとどめなくなるようなことなく、遺品として残すことができるようにし、しかも必要なら、その副装葬品の存在を遺族に知らさずに、恰も火葬の際故人の魂が宿して遺品が出現したようにしたことである。
【課題を解決するための手段】
【０００５】
本発明の特徴は仏舎利や十字架、あるいは故人が生前愛したペットの造型や故人が好んだ興味や嗜好物の形状を形作った副装葬品本体にあってそれらは金属あるいは陶磁器、石膏のような火葬した際にもその形状が崩れたり、溶けたりすることがない材料で作られていることである。
【０００６】
しかもこの副装葬品本体を棺内に収める際  副葬品本体が外部から見えないよう、かつ上記と同様の仏舎利やその他の外観形状で、火葬の際完全に燃焼してしまうオガクズやコルクなどの材料に包懐させて造られる燃焼部材からなる。  
【発明の効果】
【０００７】
而して、仮令えば故人が猫をこよなく愛していたとする。この場合仮令火葬した際でも燃え尽きない材料で造られた副装葬品本体がその中心部になり、外観からは見えないように副装葬品本体を抱懐させかつ猫の形状をなした燃焼部材を用意する。
【０００８】
そこで司会進行の係りの人が、火葬に参加される方々に、できればその中に燃えることがない副装葬品があることを知らせないで「故人が猫好きであった」ことを紹介し、この為に「猫の模造品を棺に入れる」ことを告げ火葬する。次いで出棺となりその折火葬となった筈の猫の装葬品本体があると参列者が発見し、人々は故人の思いが猫に乗り移ったとして驚愕しこれを大切に故人の墓石や仏壇に供え、故人を偲ぶことができるのである。
【０００９】
また上記の副装葬品本体はこれが火葬の際焼却してしまわないものであれば、どんな材料どんな形状でもよいが、特に宝石等は高熱に充分耐え出棺後は故人の魂が乗り移った形見として遺族に分け与えることもできるのである。
【実施例１】
【００１０】
次に本発明の一実施例を述べる。図中（１）は棺（図示せず）内に収められる副装葬品本体で、多くは故人が仏教の信者であれば各種仏舎利の像（Ａ），キリスト教の信者であれば十字架（Ｅ），さらには故人が将棋好きであったら将棋の駒（Ｃ），ゴルフが好きであったならゴルフクラブの仮令えばパター（Ｆ）の形状，釣りがあったなら釣り道具の仮令えば魚（Ｄ）の形，好きなペットがいたらそのペット（Ｂ）の形状，その他何でも故人の趣味や嗜好，信仰などから自由に選べる。
【００１１】
ただし、この場合その材料は火葬の際の高熱でもその形状が崩れることがない、たとえば石膏や陶器,磁器や、粘土及び鉄を主体とするような金属、若しくは貴金属、あるいは自然石に各種の彫刻などの造型で作られることが肝要である。またその大きさは２〜５ｃｍ程度とすることが好ましい。
【００１２】
図中（２）は上記副装葬品本体（１）を内蔵させた、言い換えれば上記副装葬品の周囲に巻装させた燃焼部材で、この部材（２）の外周形状は、それに内装した装葬品本体（１）の形状が仮令えば猫（Ｂ）の形状であればそれと同様の形状のものとし、また内装したものが将棋の駒（Ｃ）であるなら、その燃焼部材（２）の形状のものとするのがよい。この場合勿論、この燃焼部材（２）の外観形状がたとえば将棋の駒（Ｃ）であるが、これに内装される副装葬品本体（１）の外観形状は仏像であってもよい。
【００１３】
ただ、この燃焼部材（２）の材料は棺の火葬の際完全に燃え尽きてしまうことが重要で、かかる火葬の際の温度と同等以下で燃焼する材料とする必要がある。このために多くはオガクズやコルクの小片を糊など適当な材料を接着剤で装葬品本体（１）に貼装したり、適当な型を用いてその中心に装葬品（１）が置かれた形状にしたりするものであってもよい。
【００１４】
ただここで肝心なことは、かかる燃焼部材（２）内にある装葬品本体（１）が外部からその存在をはかり知ることができないようにすることである。
【００１５】
而して出棺の際、葬儀の代表者は、仮令えば故人が将棋を「こよなく愛した」とすれば、参列者にその旨を伝え、将棋の駒形の装葬品を棺内に収める。
【００１６】
そして火葬が終了し、骨壷に骨を収めるときになって、ある筈のない仮令えば仏像（Ａ）とか、将棋の駒（Ｃ）が現れたとすれば、参列者である親族等々は正に故人に成り代わってそれら遺品が出現した奇跡に脅威し、故人の成り代わりとして大切に保管、あるいは仏壇に永代備え、供養することになる。
【００１７】
また図６のように、故人が生前好きだった言葉を上記燃焼部材（２）の外観に書き込むこともでき、その中に抱懐させる副装葬品本体しかも図の仏像や「明王」や「如来」や「菩薩」に限らず図４のように魂を形どった「匂王」「球体」であってもよい。
【００１８】
さらに図３は、ゴルフ好きの故人の為に、上記燃焼部材（２）をゴルフパターの形状として、そのパターヘッドの中に不燃焼物で造ったゴルフパターの副装葬品（１）を配したもので、燃えた筈のゴルフパターから、パターが生まれでる奇跡ができるのである。
【図面の簡単な説明】
【００１９】
【図１】副装葬品本体が内装された燃焼部材の斜視図
【図２】同他の実施例の一部切欠正面図
【図３】同他の実施例の一部拡大正面図
【図４】各種副装葬品本体の正面図
【図５】他の実施例の正面説明図
【図６】各種副装葬品本体の他の実施例を示す説明正面図
【符号の説明】
【００２０】
Ａ  仏舎利の像
Ｂ  ペット
Ｃ  将棋の駒
Ｄ  魚
Ｅ  十字架
Ｆ  パター
１  装葬品本体
２  燃焼部材
【図１】
2006239089.tif 000003
【図２】
2006239089.tif 000004
【図３】
2006239089.tif 000005
【図４】
2006239089.tif 000006
【図５】
2006239089.tif 000007
【図６】
2006239089.tif 000008